(57)【要約】【課題】  熱分解ガスに同伴されるチャー粒子量を低減させることができる熱分解装置を提供する。【解決手段】  廃棄物１を熱分解して熱分解ガス２と熱分解残さ３とを生成するロータリーキルン１０を備える熱分解装置は、ロータリーキルンで生成された熱分解残さを出口ホッパー２０に排出すると共に、熱分解ガスに同伴される熱分解残さ粒子を回収する分離装置３０を備え、分離装置は熱分解ガスを通過させる筒状本体３１と、筒状本体にキルンで生成した熱分解ガスを流入させる入口管３５と、入口管の下流側の筒状本体に開口し回収された熱分解残さ粒子４を出口ホッパー２０へ排出する戻し管３７とを備える。ロータリーキルンのレトルト１１の出口開口部における熱分解ガスの最大流速が毎秒０．１ｍ以下になるようにキルンに連続する出口ホッパーの流路断面を設定する。【選択図】  図１
2007051209.tif 000002
【特許請求の範囲】
【請求項１】
廃棄物を熱分解して熱分解ガスと熱分解残さとを生成するキルンを備え、該キルンで生成された熱分解残さを出口ホッパーに排出すると共に、熱分解ガスに同伴される熱分解残さ粒子を回収する分離装置を備える熱分解装置であって、
該分離装置は、熱分解ガスを通過させる筒状本体と、該筒状本体に前記キルンで生成した熱分解ガスを流入させる入口管と、該入口管の下流側の筒状本体に開口し回収された前記熱分解残さ粒子を前記出口ホッパーへ排出する戻し管とを備えていることを特徴とする熱分解装置。
【請求項２】
廃棄物を熱分解して熱分解ガスと熱分解残さとを生成するキルンを備え、該キルンで生成された熱分解残さを出口ホッパーに排出すると共に、熱分解ガスに同伴される熱分解残さ粒子を回収する分離装置を備える熱分解装置であって、
該分離装置は、熱分解ガスを通過させる筒状本体と、該筒状本体に接続され回収された前記熱分解残さ粒子を前記出口ホッパーへと排出する下方開口部を有する戻し管とを備えており、
該戻し管の上部には、前記キルンで生成された熱分解ガスを前記筒状本体に流入させる開口部が形成されていることを特徴とする熱分解装置。
【請求項３】
前記分離装置は、前記筒状本体の内部にらせん状に巻回した旋回羽根が配置され、前記筒状本体内部に熱分解ガスを通過させ、前記旋回羽根で形成された旋回流により熱分解残さ粒子を分離して堆積させ、堆積した熱分解残さ粒子を、前記旋回羽根を旋回させて剥ぎ落として回収することを特徴とする請求項１または２に記載の熱分解装置。
【請求項４】
前記戻し管の下端開口部は、前記キルンの出口開口部の上端よりも下位置まで延長されていることを特徴とする請求項１〜３のいずれかに熱分解装置。
【請求項５】
前記熱分解装置は、前記分離装置を複数備えて構成され、該複数の分離装置はそれぞれ熱分解ガスの流入を停止させる開閉弁を備えており、熱分解残さ粒子の回収中には、その分離装置への熱分解ガスの流入を停止することを特徴とする請求項１〜４のいずれかに記載の熱分解装置。
【請求項６】
前記キルンの出口開口部における熱分解ガスの最大流速が毎秒０．１ｍ以下になるようにキルンに連続する前記出口ホッパーの流路断面を設定したことを特徴とする請求項１〜５のいずれかに記載の熱分解装置。
【発明の詳細な説明】
【技術分野】
【０００１】
本発明は、都市ごみ等の廃棄物を、ロータリー式等のキルンを用いて熱分解処理して熱分解残さ（チャー）と熱分解ガスを分離して取り出すガス化溶融装置における、廃棄物の熱分解装置に関するものである。
【背景技術】
【０００２】
都市ごみ等の廃棄物を処理する技術として、廃棄物を熱分解炉に投入して熱分解（乾留・ガス化）し、生成した可燃性の熱分解ガスとチャーとを、熱分解炉より分離して取り出し、それらを次工程に送って処理する技術がある。熱分解炉には、ロータリーキルンを用いるのが一般的であり、外熱により加熱する型式のものが多い。
【０００３】
ロータリーキルンを用いて生成させた熱分解ガスやチャーは、燃料として利用できることから、廃棄物の処理に必要な熱源に用いることが多く、ロータリーキルンの外熱の熱源として熱分解ガスを利用することも一般的に行われている。
【０００４】
ロータリーキルンの熱源として熱分解ガスを用いる場合、ロータリーキルンから取り出した熱分解ガスを、発火装置を持つ炉やバーナー（以下、燃焼バーナーと呼ぶ）で燃焼させて高温の排ガスに変えて、廃棄物と混ざらないように分けてロータリーキルンに送り込むようにする。
【０００５】
ロータリーキルンにおいて、この排ガスと廃棄物とが混ざらないように、回転する円筒（レトルト）内部に廃棄物を送り込み、外気と混ざらないように保温材で仕切った容器（ジャケット）とレトルト外部との隙間に排ガスを流して、レトルトを介して排ガスから廃棄物へ熱交換して、廃棄物を低酸素の雰囲気で熱分解させている。
【０００６】
熱交換を終えてジャケットから排出された排ガスは、その温度が十分に高いことから、さらに水を蒸気に変えるボイラーや空気を暖める熱交換器に送り込んで熱交換させたのち、それに含まれる有害なガスや粒子をフィルターで低減させて、大気に放出される。このようなロータリーキルン方式の熱分解装置の技術は、例えば特許文献１などに記載されている。
【０００７】
【特許文献１】特開２００３−１８３６６５号公報
【発明の開示】
【発明が解決しようとする課題】
【０００８】
ロータリーキルン方式の熱分解装置の、ロータリーキルンで生成した熱分解ガスには、このガス自体の生成の段階で形成された微小寸法で低質量の熱分解残さ粒子（チャー粒子）が流れに乗って混ざっており、燃焼バーナーで熱分解ガスと共に燃やされて飛灰（ひばい）に変わっても、排ガスと共にさらに下流まで流れてゆき、ロータリーキルンのレトルト外表面や、ジャケット内部、その下流に置いたボイラー、熱交換器、フィルターにまで達する。
【０００９】
このような飛灰は、ロータリーキルンのレトルトやボイラー、熱交換器の伝熱管表面に付着して各機器の熱交換効率を低下させたり、燃焼バーナー、ジャケットやボイラー、熱交換器の伝熱管隙間やフィルターの隙間といった排ガス流路を徐々に詰まらせたりという悪影響の原因となり得る。
【００１０】
この悪影響を排除するために、ジャケット、燃焼バーナー、ボイラー、熱交換器やそれらを結ぶ配管、流路を定期的に開放して付着した飛灰を清掃したり、交換したりすると、熱分解装置の維持コストを悪化させてしまう。
【００１１】
また、チャー粒子が熱分解ガスに混ざると、ロータリーキルンで生成し、出口ホッパーで回収して取り出すチャーの量は低減して、燃料としてのチャーの損失になる。さらに、燃料にもなるチャー粒子が熱分解ガスに混ざると、燃焼バーナーにおける燃焼状態が不安定になるだけでなく、ロータリーキルンやボイラーにおける熱交換の性能も不安定になり易い。
【００１２】
そのような原因となり得るチャー粒子を除去するために、燃焼バーナーの上流側にチャー粒子を熱分解ガスより除去する分離装置（サイクロンセパレーターやスクリュー）が設けられる場合もある。
【００１３】
これらの分離装置は、次第に分離装置の内部が分離されたチャー粒子で充満することから、定期的に分離装置内部より分離されたチャー粒子を排出する必要がある。分離されたチャー粒子を、別の容器に溜めて外部へ搬出するには、発火しないように温度が下がるまで低酸素状態で保管する必要がある。また、分離されたチャー粒子を、ロータリーキルンや出口ホッパーへ戻すには、出口ホッパー内部の熱分解ガスの流れと再び混ざって、チャー粒子が再度熱分解ガスに同伴されてしまう。なお、同伴とは、チャー粒子が熱分解ガスの流れに乗って一緒に流されることをいう。
【００１４】
本発明は、このような問題に鑑みてなされたものであって、その目的とするところは、ロータリーキルンで生成した熱分解ガスに同伴されるチャー粒子の量を低減することができる熱分解装置を提供することにある。また、チャー粒子が同伴され難いように出口ホッパー内部の熱分解ガス流れを形成することができる熱分解装置を提供することにある。
【課題を解決するための手段】
【００１５】
前記目的を達成すべく、本発明に係る熱分解装置は、廃棄物を熱分解して熱分解ガスと熱分解残さとを生成するキルンを備え、キルンで生成された熱分解残さを出口ホッパーに排出すると共に、熱分解ガスに同伴される、すなわち、熱分解ガスと共に流出する熱分解残さ粒子を回収する分離装置を備えており、この分離装置は、熱分解ガスを通過させる筒状本体と、この筒状本体の上流側に接続されキルンで生成した熱分解ガスを流入させる入口管と、この入口管の下流側の筒状本体に開口し回収された熱分解残さ粒子を出口ホッパーへ排出する戻し管とを備えていることを特徴とする。
【００１６】
前記のごとく構成された本発明の熱分解装置は、ロータリーキルンで生成された熱分解ガスに同伴し、ガスに伴って流出する熱分解残さ粒子を回収し、回収された熱分解残さ粒子は熱分解ガスが流入する入口管と別の戻し管を通して回収されるため、再度熱分解ガスに同伴することが防止され、固形分として回収される熱分解残さと合わせて排出されるため、回収される熱分解残さを増量することができる。また、熱分解ガスと共に流れる熱分解残さ粒子の流通通路への堆積を防止でき、熱分解ガスの燃焼による飛灰の量を低減することができ、装置のメンテナンスを簡略化することができ、メンテナンスサイクルを長くすることができる。
【００１７】
本発明に係る熱分解装置の他の態様は、廃棄物を熱分解して熱分解ガスと熱分解残さとを生成するキルンを備え、キルンで生成された熱分解残さを出口ホッパーに排出すると共に、熱分解ガスに同伴される、すなわち、熱分解ガスと共に流出する熱分解残さ粒子を回収する分離装置を備えており、この分離装置は、熱分解ガスを通過させる筒状本体と、この筒状本体に接続され回収された前記熱分解残さ粒子を前記出口ホッパーへと排出する下方の開口部を有する戻し管とを備えており、該戻し管の上部には、前記キルンで生成された熱分解ガスを前記筒状本体に流入させる開口部が形成されていることを特徴としている。
【００１８】
このように構成された熱分解装置では、生成された熱分解ガスは、分離装置の戻し管の上部に形成された開口部から筒状本体に流入し、筒状本体内を通過する間に熱分解残さ粒子が分離され、筒状本体内に堆積する。分離装置を作動させると、堆積された熱分解残さ粒子は戻し管の下方の開口部を通して出口ホッパーに排出されて回収される。回収された熱分解残さ粒子は、上部の開口部から流入して戻し管を流れる熱分解ガスにより再度筒状本体内に流入して同伴することは少なく、熱分解ガスに同伴される熱分解残さを低減することができる。
【００１９】
また、本発明に係る熱分解装置の好ましい具体的な態様としては、前記分離装置は、前記筒状本体の内部に螺旋状に巻回した旋回羽根が配置され、前記筒状本体内部に熱分解ガスを通過させ、前記旋回羽根で形成された旋回流により熱分解残さ粒子を分離して堆積させ、堆積した熱分解残さ粒子を、前記旋回羽根を旋回させて剥ぎ落として回収することを特徴としている。
【００２０】
このように構成された熱分解装置は、筒状本体の内部に旋回流を発生させて熱分解残さ粒子を分離して堆積させ、熱分解ガスと共に流れる熱分解残さ粒子が筒状本体の内壁に堆積すると、旋回羽根を旋回させて堆積物を剥ぎ取り、剥ぎ取られた粒子の堆積物を旋回羽根で上流側に送り、戻し管を通して出口ホッパーから回収できるため、回収される熱分解残さを増量でき、配管等の熱分解ガスの流通通路に付着する熱分解残さを剥ぎ取ることで、分離装置のメンテナンスの手間を軽減することができる。
【００２１】
前記戻し管の下端開口部は、前記キルンの出口開口部の上端よりも下位置まで延長されていることが好ましい。このように構成すると、キルン内で生成された熱分解残さ粒子が分離装置の戻し管の下端開口部から進入しにくいため、熱分解ガスに同伴して流出する熱分解残さ粒子の量を低減することができる。
【００２２】
本発明に係る熱分解装置の他の態様としては、前記分離装置を複数備えて構成され、複数の分離装置はそれぞれ熱分解ガスの流入を停止させる開閉弁を備えており、熱分解残さ粒子の回収中には、その分離装置への熱分解ガスの流入を停止することを特徴としている。このように構成された熱分解装置は、筒状本体内に堆積された熱分解残さ粒子が多量になると、その分離装置への熱分解ガスの流入を停止させ、旋回羽根を回転させて堆積した粒子を剥ぎ取り、生成された熱分解ガスは他の分離装置で熱分解残さ粒子を回収することができるため、熱分解残さ粒子の熱分解ガスへの再同伴を防止できる。
【００２３】
前記キルンの出口開口部における熱分解ガスの最大流速が毎秒０．１ｍ以下になるようにキルンに連続する出口ホッパーの流路断面を設定すると好ましい。すなわち、キルンの出口ホッパーの水平方向の断面積を、この熱分解装置の定格時における熱分解ガスの発生量に合わせて最大流速が毎秒０．１ｍ以下となるように設定されている。このように構成された熱分解装置は、キルンから流出する熱分解ガスの最大流速が毎秒０．１ｍ以下に緩やかに設定されるため、熱分解ガスと共に同伴する熱分解残さ粒子の量を低減することができる。すなわち、この熱分解装置において、熱分解ガスの最大流速が毎秒０．１ｍ以下になるように出口ホッパーの流路断面を設定することにより、熱分解ガスにチャー粒子が同伴され難いように出口ホッパー内部の熱分解ガス流れを形成することができる。
【発明の効果】
【００２４】
本発明は、廃棄物を熱分解して熱分解ガスと熱分解残さとを生成するキルンを備える熱分解装置において、キルンで生成して出口ホッパーから分離装置へ流れる熱分解ガスに同伴されるチャー粒子の量を低減することができる。また、生成された熱分解ガスに、チャー粒子が同伴され難いように、出口ホッパー内部の熱分解ガス流れを形成することが可能である。したがって、安定して高性能で、かつ低い維持コストを両立させた熱分解装置を得ることができる。
【発明を実施するための最良の形態】
【００２５】
以下、本発明に係る熱分解装置の第１の実施形態を図面に基づき詳細に説明する。図１は、本実施形態に係る熱分解装置の要部構成を示す断面図、図２は、図１のＡ−Ａ線に沿う拡大断面図、図３は分離装置内に配置されるリボンスクリューの要部斜視図である。図１はロータリーキルン方式の熱分解装置を構成するロータリーキルンと出口ホッパーの断面、分離装置の断面、燃焼バーナーと熱交換器、およびロータリーキルンで生成された熱分解ガスと熱分解残さ（チャー）の流れを示している。
【００２６】
図１〜３において、本実施形態の熱分解装置は、廃棄物１を熱分解して熱分解ガス２と熱分解残さ３とを生成するロータリーキルン１０と、図１においてロータリーキルンの右側開口に連続し、生成された熱分解ガスおよび熱分解残さを排出する出口ホッパー２０とを備えている。ロータリーキルン１０はパイプ状のレトルト１１を備えており、レトルト１１は水平に近い状態に設置され、図１において左側端部は図示していない入口ホッパーから廃棄物１がロータリーコンベア等により搬入される開口となっている。レトルト１１の外周にはジャケット１２が位置しており、レトルト１１はジャケット１２内を回転することができる。なお、ロータリーキルン１０は水平状態、あるいは水平状態から僅かに出口方向に下降するように設置することが好ましい。
【００２７】
ロータリーキルン１０はパイプ状のレトルト１１が両端部をローラーやタイヤ等の回転支持体１３により支持され、図示されていない回転駆動装置によりベルトやチェーン等を介して緩やかに回転駆動される構成となっている。レトルト１１の外周に位置するジャケット１２との間の空間１４には、後述する燃焼バーナーからの高温の排ガスが供給され、レトルト１１内部に供給される廃棄物１を加熱して熱分解するように構成されている。レトルト１１とジャケット１２との空間は、燃焼ガスが外部に漏れないように気密状態にシールされている。
【００２８】
ロータリーキルン１０に隣接して、熱分解ガス中の熱分解残さを分離して回収する分離装置３０が配置されている。分離装置３０では、熱分解ガス２ａが通過する間に熱分解残さ粒子（チャー粒子）４が分離され、チャー粒子が分離された熱分解ガス５が燃焼バーナー５０に供給される。この燃焼バーナー５０は熱分解残さ粒子４が分離された熱分解ガス５が燃焼され、高温の燃焼ガス６がロータリーキルン１０のレトルト１１とジャケット１２の間の空間に供給されてロータリーキルン内の廃棄物を加熱する構成となっている。ロータリーキルン１０を加熱した燃焼ガス７は熱交換器６０を通過し、図示していないフィルター装置で飛灰が除去されて排ガス８として大気中に放出されるように構成されている。
【００２９】
分離装置３０はパイプで形成された筒状本体３１の両端を塞ぎ、図１において右端側が上流側で、左端側が下流側となっている。筒状本体３１の内部には、旋回羽根としてリボンスクリュー３２が配置され、筒状本体３１の上流側に固定されたモータ等の駆動装置３３により一定方向に回動される構成となっている。リボンスクリュー３２は筒状本体３１内に緩く嵌合しており、リボンスクリュー３２の外径は筒状本体３１の内径より小さく設定され、筒状本体内を内壁面に接触しながら回転できるように構成されている。
【００３０】
リボンスクリュー３２は所定幅を有する金属板材を螺旋状に巻回して形成したものであり、巻回された金属板材の中心部には熱分解ガスが通過できる内側流路３４が、図３に示されるように形成されている。筒状本体３１内を通過する熱分解ガスはリボンスクリュー３２により旋回流が形成され、ガスと共に同伴している熱分解残さ粒子に遠心力を与えて、これらの粒子をガス流から分離することができる。また、リボンスクリュー３２は、駆動装置３３により回転され、筒状本体３１の内壁に堆積したチャー粒子４を剥ぎ落とすと共に、剥ぎ落とされたチャー粒子を上流側に搬送する機能を有している。
【００３１】
分離装置３０の筒状本体３１の上流端部には熱分解ガスを流入させる入口管３５が接続され、この入口管の下端は出口ホッパー２０の上部に連通している。また、筒状本体３１の下流端部には、分離装置３０を通過した熱分解ガスを燃焼バーナー５０に供給する出口管３６が接続されている。さらに、筒状本体３１の上流側には、入口管３５より下流側に戻し管３７が接続されている。この戻し管３７は分離装置３０で分離され、リボンスクリュー３２で搬送されたチャー粒子４を筒状本体３１から排出して出口ホッパー２０に戻す機能を有している。
【００３２】
そして、戻し管３７の下端開口部は、ロータリーキルン１０のレトルト１１の出口開口部の上端よりも下位置まで延長されている。実際には、戻し管の下端開口部は、レトルトの出口開口部の下端よりも下位置まで延長されている。このように戻し管の下端開口部の位置を設定することで、キルンの出口開口部の上縁に沿って高温の熱分解ガスが出口ホッパー２０に流出するが、この流出の際に戻し管内には流入しないため、戻し管内を落下するチャー粒子が、熱分解ガスの上昇気流に乗って再度分離装置の筒状本体３１内に流入するのを防止できる構成となっている。
【００３３】
前記の如く構成された本実施形態の熱分解装置の動作について以下に説明する。都市ごみなどの廃棄物１は、まず粉砕・乾燥などの前処理を経た後、図示していないベルトコンベア等により、ロータリーキルン１０における横置きで高温のレトルト１１内部に投入される。廃棄物１はレトルト１１内部の低酸素状態で加熱され熱分解し、可燃性の熱分解ガス２とチャーと高融点不燃物の混合した熱分解残さ３に分離され、熱分解残さ３はレトルト１１の回転攪拌挙動で徐々に下流側（右方向）に送り出されて出口ホッパー２０の下方に落ちて炉外へ排出される。
【００３４】
一方、熱分解ガス２にはガス自体の流れに乗って微小寸法で低質量のチャー粒子４が混ざっており、この粒子が入口管３５を経て分離装置３０へと流れ、分離装置内部に取り付けられたリボンスクリュー（旋回羽根）３２で旋回させられながら、筒状本体３１の中心の内側流路３４をらせん状に流れることでチャー粒子４が遠心分離される。
【００３５】
遠心分離により熱分解残さ粒子が回収された熱分解ガス５は出口管３６から配管を経て燃焼バーナー５０で燃やされ、高温の燃焼ガス６に変わり、配管を経て廃棄物と混ざらないように、レトルト１１の外側で、外気と混ざらないように保温材で仕切ったジャケット１２とレトルト外部との空間１４を流れる間、レトルト１１内部の廃棄物を加熱して熱分解させている。なお、熱分解ガスが生成される前の状態では、別に供給された燃料ガスを燃焼バーナー５０で燃焼させてロータリーキルン１０を加熱する。
【００３６】
ジャケット１２から出た燃焼ガス７は、その温度が十分に高いことから、さらに水を蒸気に変えるボイラーまたは空気を暖める熱交換器６０に送り込んで熱交換させたのち、それに含まれる有害なガスや粒子をフィルターで低減させて、大気中へ排ガス８として放出される。
【００３７】
分離装置３０内に熱分解ガスと共に同伴するチャー粒子４が分離されて堆積し、その量が多くなると駆動装置３３を作動させてチャー粒子の回収を行なう。駆動装置３３を作動させると、筒状本体３１内に位置するリボンスクリュー３２はらせん方向と反対方向に回転され、リボンスクリューの外周部が筒状本体３１の内壁面に付着したチャー粒子を剥ぎ落とす。剥ぎ落とされたチャー粒子は筒状本体３１の底面に堆積し、リボンスクリュー３２により上流側、すなわち右方向に搬送される。そして、搬送されたチャー粒子は入口管３５の下流側に開口する戻し管３７に落とされ、出口ホッパー２０内に排出され、ホッパーの出口から回収される。戻し管３７を落下するチャー粒子は入口管３５を流れる熱分解ガスの影響を全く受けずに落下するため、チャー粒子が再度熱分解ガスに同伴して流出することは防止される。
【００３８】
ここで、本発明に関わるキルン出口ホッパー２０内を流れる熱分解ガスに含まれるチャー粒子の挙動について、以下説明する。
【００３９】
図４（ａ）は熱分解ガスに含まれるチャー粒子の直径ｄに対する粒子数を最大割合で規格化した割合Ｎ（％）を示し、図４（ｂ）は図４（ａ）の割合を小さい方から累積した割合Γ（％）を示している。図５はチャー粒子の直径ｄに対する熱分解ガスに同伴される限界流速Ｕｍを示している。図６はチャー粒子の直径ｄに対する、熱分解ガスに同伴されて流出してしまう粒子数の割合Ｎを示している。なお、図４では、キルンで発生した熱分解ガスの一部分を採取（サンプリング）したときのチャー粒子を調べた場合のもので、このときはガスの流れを考慮していない。一方、図５と図６では、熱分解ガスの流れに同伴されるチャー粒子を調べているので、当然ガスの流れを考慮している。
【００４０】
図４を説明する。
【００４１】
一般に気流に同伴される微粒子は比較的直径の小さい側へ偏った山形の分布（対数分布で近似される分布）形状であることが多く、図４のような熱分解ガス流れに同伴されるチャー粒子も同様である。この分布に対する累積の割合は、粒子数割合の頂上付近で急激に増加して、この粒子数割合が急激に増加する直径よりも小さい直径側での粒子数割合の増加や、大きい直径側での粒子数割合の増加は、緩やかである。
【００４２】
熱分解ガスに含まれるチャー粒子の累積割合Γは、粒子数の割合Ｎの最大値を持つ粒子直径ｄで急増する。従来例では、Ｎが最大になるｄ＝３０μｍでΓは急増する。ｄ＝３０μｍにおいてΓ＝４０％である。ここで、熱分解ガスに含まれるチャー粒子の体積や質量は粒子直径の３乗に比例する。このことから、従来例における熱分解ガスに含まれるチャー粒子の総体積または総質量に対する３０μｍ以上のチャー粒子の体積または質量の割合は、従来例における熱分解ガスに含まれる３０μｍ以上のΓ＝１００−４０＝６０％よりも大きい割合を占める。したがって、従来例における技術的課題は、ｄ＝３０μｍ以上のチャー粒子を熱分解ガスにできる限り同伴させないことに対応するといえる。
【００４３】
従来および本発明における熱分解ガスに含まれるチャー粒子を比較すると次のようになる。
１）本発明は従来よりもＮの最大値は小さい粒子直径である。このことから、
２）同一のΓで比較すると本発明は従来よりも小さいｄである。
３）また、同一のｄで比較すると本発明は従来よりも大きいΓである。これは、出口ホッパーにおける熱分解ガスの流速を平均的に低下させて、熱分解ガスに同伴されるチャー粒子の粒子直径を平均的に低減させたことによる。
【００４４】
なお、熱分解ガスがダクトや管等の流路内部を流れる場合、ガスの流速は流路断面全体で均一でなく、流路やガス自体の摩擦抵抗の影響を受けて複雑に変化する。ただし一般的に、流路の断面積が大きいほど内部を流れるガスの流速は平均的に低下する。
【００４５】
この低減できる理由について、次に図５および図６を用いて説明する。
【００４６】
熱分解ガスに同伴される限界流速Ｕｍは、１μｍ以下の粒子直径ｄで極めて低く熱分解ガスの気流に浮遊しつづけるものの、1μｍ以上のｄに対してほぼ比例する。
【００４７】
図５のように熱分解ガスの流速が大きいほど、ガス流れに同伴される粒子直径の上限は大きくなる。粒子の体積や質量は直径の３乗に比例することから、ガス流速が増すとガスに同伴されるチャー量も増加する。
【００４８】
図４においてキルン炉内の熱分解ガスに含まれるチャー粒子３０μｍ以上の粒子割合は６割以上であり、この粒子直径に対する同伴限界流速は毎秒０．１ｍである。このことから、Ｕｍを毎秒０．１ｍ以下に抑えれば、熱分解ガスの気流に３０μｍ以上のチャー粒子は同伴されないことを意味する。
【００４９】
続いて図６を説明する。
図６は、図４に示した熱分解ガスに含まれるチャー粒子の直径ｄに対する粒子数の割合Ｎを、ｄ＝３０μｍ付近で拡大したものである。
【００５０】
熱分解ガス気流の平均流速＝毎秒約１ｍの場合、すでに図５で示したように３０μｍ以上のチャー粒子の多くは気流に同伴されてしまう。一方、平均流速＝毎秒約０．１ｍの場合、３０μｍ以上のチャー粒子は殆ど気流に同伴されずに出口ホッパー２０側へ落下する。このように、熱分解ガス気流の平均流速を下げることで、気流に同伴されるチャー粒子の平均直径を低減させて、チャー粒子の総体積や総質量も低減させることが可能になる。
【００５１】
前述したように、熱分解ガスがダクトや管等の流路内部を流れる場合、局所的な流速の違いにより、ガスに同伴され得るチャー粒子の粒子直径も異なる。ただし、ガスの流速が平均的に低下すれば、ガスに同伴されるチャー粒子直径も平均的に低下する。
【００５２】
これを、次に説明するような出口ホッパーを採用した本発明により、３０μｍ以上のチャー粒子を１割以下に低減することができる。
【００５３】
分離装置３０内部に堆積したチャー粒子を、リボンスクリュー３２を駆動装置３３で回転させて入口管３５の方向（上流側）へ回収できるが、回収した粒子を入口管３５に戻すと再び熱分解ガス２と混ざってしまい、再度同伴されてしまう。
【００５４】
本実施形態の熱分解装置は、このようにして分離装置３０で分離回収されたチャー粒子４と、分離装置３０へ流入する熱分解ガス２との再混合を防止するために、入口管３５とは別に、回収されたチャー粒子を出口ホッパー２０内部へ排出する戻し管３７を設ける。一方、レトルト１１で生成した熱分解ガスの出口ホッパー２０内部の流速は、レトルト１１出口開口部の上端で最も高くなる。
【００５５】
これは、レトルト１１で生成された熱分解残さ３と熱分解ガス２を重力分離しているので、レトルト１１開口部の上端位置で熱分解ガスの通過流量が最大になることによる。したがって、戻し管３７の開口部を、少なくともレトルト１１の出口開口部の上端よりも下の位置まで伸ばせば、比較的低い流速の熱分解ガスへ混ぜて出口ホッパー２０内部へ戻せ、熱分解ガスへのチャー粒子の再同伴を低減できる。
【００５６】
さらに、本発明において出口ホッパー２０における熱分解ガス流速を毎秒０．１ｍ以下になるように、レトルト１１で発生する最大の熱分解ガス流量に対する出口ホッパー水平断面積を設定し、熱分解ガスに同伴されるチャー粒子を直径３０μｍ以下に抑えるようにしている。すなわち、図２のＨ−Ｈ線に沿う出口ホッパー２０の水平方向の断面積を、熱分解装置の定格時における熱分解ガスの発生量に合わせて最大流速が毎秒０．１ｍ以下となるように設定している。このように熱分解ガスの最大流速が毎秒０．１ｍ以下となるように断面積を設定することにより、図６のように３０μｍ以上の割合が極めて少ない粒子分布にでき、回収した粒子を入口管に戻した従来の分離装置と比較して、別に戻し管を設けた本発明では３０μｍ以上の粒子割合を低減でき、従来の課題を解決できる。
【００５７】
本発明の第２の実施形態を図７，８に基づき詳細に説明する。図７は本発明に係る熱分解装置の第２の実施形態の要部断面図、図８は図７のＢ−Ｂ線に沿う要部断面図である。なお、この実施形態は前記した第１の実施形態に対し、熱分解装置は分離装置を複数備えて構成されることを特徴とする。そして、他の実質的に同等の構成については同じ符号を付して詳細な説明は省略する。なお、図７では手前側の一方の分離装置のみを図示しており、奥側の分離装置は省略している。
【００５８】
図７，８に示す第２の実施形態が図１の第１の実施形態と異なるところは、２基の分離装置３０Ａと３０Ｂが設置され、各分離装置に入口管３５ａ，３５ｂを接続し、各分離装置からそれぞれ戻し管３７ａ，３７ｂが２本別々に接続され、さらに分離装置３０Ａに対して出口管３６ａの下流に開閉弁４０ａと、戻し管３７ａの途中に開閉弁４１ａを設け、分離装置３０Ｂの出口管３６ｂの下流に開閉弁４０ｂと、戻し管３７ｂの途中に開閉弁４１ｂを設け、各分離装置から排出した熱分解ガスは合流管４２を介して燃焼バーナー５０へ送る構成である。
【００５９】
本実施形態では、各分離装置３０Ａ，３０Ｂで回収したチャー粒子が、分離装置に流入する熱分解ガスと混合することを防止するために、例えば分離装置３０Ｂで回収したチャー粒子を戻し管３７ｂへ排出する際に、下流の開閉弁４０ｂを閉めて熱分解ガスの流れを止めた後に戻し管の開閉弁４１ｂを開けて矢印４ｂに示すように排出させ、一方の分離装置３０Ａの下流の開閉弁４０ａを開けて、戻し管３７ａの開閉弁４１ａを閉めて、入口管３５ａよりレトルト１１で生成した熱分解ガスを矢印２ａで示すように流せばよい。
【００６０】
分離装置３０Ａで回収したチャー粒子を戻し管３７ａから排出する際には、４つの開閉弁４０ａ，４０ｂ，４１ａ，４１ｂを、今度は開閉を逆にすればよい。このように、分離装置および戻し管を複数設け、分離装置のそれぞれに入口管、出口管、および戻し管を接続し、熱分解ガスの分離装置への流入を開閉弁で切り替えることで、熱分解ガスに同伴されるチャー粒子の量を第１の実施形態以上に低減できる。
【００６１】
本発明の第３の実施形態を図９，１０に基づき詳細に説明する。図９は本発明に係る熱分解装置の第３の実施形態の要部断面図、図１０は図９のＣ−Ｃ線に沿う要部断面図である。なお、この実施形態は前記した第１の実施形態に対し、熱分解装置は分離装置を複数備えて構成され、それぞれの分離装置は入口管がなく、戻し管の途中の開口部から熱分解ガスが流入することを特徴とする。そして、他の実質的に同等の構成については同じ符号を付して詳細な説明は省略する。なお、図９では平行に配置された分離装置の一方のみを図示している。
【００６２】
図９，１０に示す第３の実施形態が、図７，８の第２の実施形態と異なるところは、２基の分離装置３０Ｃと３０Ｄの戻し管４５ａ，４５ｂが入口管を兼ねている点である。これらの戻し管それぞれには、レトルト１１の出口開口部中心よりも上位置に熱分解ガスが流入する開口部４６ａと４６ｂが形成され、レトルト１１の出口開口部中心よりも下位置に熱分解残さ粒子を排出する下端開口部４７ａ，４７ｂが形成され、戻し管は複数開口部を持つ配管で構成されている。第３の実施形態では、２基の分離装置で回収したチャー粒子の密度（重力）を利用し、分離装置へ流入する熱分解ガスと混合することを防止している。
【００６３】
すなわち、筒状本体１１の上流側には、分離装置３０Ｃ，３０Ｄで回収されたチャー粒子を出口ホッパー２０へ排出する下方の開口部を有する戻し管４５ａ，４５ｂが接続され、これらの戻し管の途中に、熱分解ガスを筒状本体１１に流入させる開口部４６ａ，４６ｂが形成されている。分離装置３０Ｃ，３０Ｄには戻し管の途中に形成された開口部４６ａ，４６ｂからチャー粒子を同伴する熱分解ガスが流入し、筒状本体１１内でガス流が旋回流となってチャー粒子を分離し、分離後の熱分解ガスが出口管から燃焼バーナーに供給される構成となっている。このため、筒状本体に入口管を接続する必要はない。
【００６４】
そして、戻し管の下端開口部は、レトルト１１の出口開口部の上端よりも下位置まで延長されている。実際には、戻し管の下端開口部は、キルンの出口開口部の下端よりも下位置まで延長されている。このように戻し管の下端開口部の位置を設定することで、キルンの出口開口部の上縁に沿って高温の熱分解ガスが出口ホッパーに流出するが、この流出の際に、隣接する分離装置の戻し管内を落下するチャー粒子が上昇気流に乗って再度分離装置の筒状本体内に流入するのを防止できる。
【００６５】
本実施形態では、前記の構成の分離装置がロータリーキルン１０の上方に２つ平行状態に配置されている。そして、２つの分離装置３０Ｃ，３０Ｄには、熱分解ガスの筒状本体への流入を停止させる開閉弁４８ａ，４８ｂが、それぞれの出口管３６ｃ、３６ｄに接続されている。この構成により、一方の開閉弁を閉じることで、その分離装置への熱分解ガスの流入を停止することができ、例えばチャー粒子を回収するために駆動装置を作動中には、熱分解ガスの流入を停止させることができる構成となっている。
【００６６】
例えば、下流の開閉弁４８ｂを閉めて熱分解ガスの流れを止めて分離装置３０Ｄで回収したチャー粒子を排出すると、チャー粒子は戻し管４５ｂ内部を落下してゆき、矢印４ｃのように落下する。このとき、他方の分離装置３０Ｃの下流の開閉弁４８ａを開けて、レトルト１１で生成された熱分解ガスは戻し管４５ａの開口部４６ａから矢印２ｂで示すように流せる。分離装置３０Ｃで回収したチャー粒子を戻し管４５ａから排出する際には、２つの開閉弁４８ａ，４８ｂを、今度は開閉を逆にすればよい。
【００６７】
分離装置３０Ｄで排出したチャー粒子が戻し管４５ｂの配管の内部を落下する理由は、ガスに比べてチャー粒子の密度および重力がおおよそ１０００倍大きいためであり、チャー粒子落下の際に熱分解ガスの流れにより回収したチャーの一部が再度熱分解ガスに同伴されるが、その割合は小さい。また、熱分解ガスが開口部４６ａを通過して矢印２ｂのように流せる理由は、戻し管４５ａの配管の長さ分だけ摩擦抵抗が大きいことで、途中の開口部から流れ易くなるためである。そうなるためには、開口部４６ａ，４６ｂの面積を戻し管４５ａ，４５ｂの下端開口部の面積よりも大きく設定する必要がある。
【００６８】
また、開口部４６ａ，４６ｂは、レトルト１１の出口開口部中心よりも上位置に、戻し管４５ａ，４５ｂの下端開口部はレトルト１１の出口開口部中心よりも下位置に設けることで、戻し管４５ａ，４５ｂから排出されるチャー粒子と開口部４６ａ，４６ｂを流れる熱分解ガスとの混合を防止できる。
【００６９】
このように、複数開口部を有する戻し管４５ａ，４５ｂを分離装置３０Ｃ，３０Ｄの戻し管と入口管を兼用させるようにそれぞれ設け、これらの戻し管に接続された開閉弁で熱分解ガスの流入を切り替えることで、熱分解ガスに同伴されるチャー粒子の量を低減できるだけでなく、第２の実施形態の戻し管３７ａ，３７ｂや開閉弁４１ａ，４１ｂのコストをも低減できる。
【００７０】
以上、本発明の実施形態について詳述したが、本発明は、前記の実施形態に限定されるものではなく、特許請求の範囲に記載された本発明の精神を逸脱しない範囲で、種々の設計変更を行うことができるものである。例えば、分離装置の筒状本体内に配置された旋回羽根として、リボンスクリューの例を示したが、筒状本体の内部を通過する熱分解ガスに旋回流を発生させ、筒状本体内に付着したチャー粒子を剥ぎ取る機能を備えていれば、他のコイル状の旋回羽根を用いてもよい。また、廃棄物を熱分解するキルンとしてロータリーキルンの例を示したが、ロータリー式でなく固定式のキルンを用いてもよい。
【産業上の利用可能性】
【００７１】
本発明の活用例として、この熱分解装置を用いてごみ以外の廃棄物を熱分解する熱分解装置の用途にも適用できる。
【図面の簡単な説明】
【００７２】
【図１】本発明に係る熱分解装置の一実施形態の要部構成を示す断面図。
【図２】図１のＡ−Ａ線断面図。
【図３】分離装置のリボンスクリューを示す要部斜視図。
【図４】図１に示す第１の実施形態の説明するための、熱分解ガスに同伴されるチャー粒子の粒子割合を示し、（ａ）は最大割合で規格化した粒子数の割合を示す図、（ｂ）は（ａ）の割合を小さいほうから累積した割合を示す図。
【図５】図１に示す第１の実施形態の説明するための、チャー粒子を同伴する限界の熱分解ガス流速を示す図。
【図６】図１に示す第１の実施形態の説明するための、熱分解ガスに同伴されて流出し得るチャー粒子の粒子割合を示す図。
【図７】本発明に係る熱分解装置の第２の実施形態を示す要部断面図。
【図８】図７のＢ−Ｂ線に沿う要部断面図。
【図９】本発明に係る熱分解装置の第３の実施形態を示す要部断面図。
【図１０】図９のＣ−Ｃ線に沿う要部断面図。
【符号の説明】
【００７３】
１…廃棄物、２…熱分解ガス、３…熱分解残さ（チャー）、４…熱分解残さ粒子（チャー粒子）、５…熱分解残さ粒子が回収された熱分解ガス、６…燃焼ガス、７…加熱後の燃焼ガス、８…排ガス、１０…ロータリーキルン、１１…レトルト、１２…ジャケット、２０…出口ホッパー、３０，３０Ａ，３０Ｂ，３０Ｃ，３０Ｄ…分離装置、３１…筒状本体、３２…リボンスクリュー（旋回羽根）３３…分離装置の駆動装置、３４…旋回羽根の内側流路、３５，３５ａ，３５ｂ…入口管、３６，３６ａ，３６ｂ、３６ｃ、３６ｄ…出口管、３７，３７ａ，３７ｂ…戻し管、４０ａ，４０ｂ，４８ａ，４８ｂ…分離装置の開閉弁（切り替え弁）、４１ａ，４１ｂ…戻し管に接続された開閉弁、４５ａ，４５ｂ…入口管を兼用した戻し管、４６ａ，４６ｂ…戻し管の上部開口部、４２…合流管、５０…燃焼バーナー、６０…熱交換器
【図１】
2007051209.tif 000003
【図２】
2007051209.tif 000004
【図３】
2007051209.tif 000005
【図４】
2007051209.tif 000006
【図５】
2007051209.tif 000007
【図６】
2007051209.tif 000008
【図７】
2007051209.tif 000009
【図８】
2007051209.tif 000010
【図９】
2007051209.tif 000011
【図１０】
2007051209.tif 000012